(57)【特許請求の範囲】
【請求項１】
円周方向等間隔に設けられた充填バルブと、該充填バルブを作動させるシフターレバーと、該シフターレバーに係合して充填動作を開始するバルブオープナーとを備えた充填装置において、１バルブごとに連続ピッチ用シフターレバーと倍ピッチ用シフターレバーを設けるとともに、全てのシフターレバーに連続的に係合するバルブオープナーと、一つ飛ばしの倍ピッチ用シフターレバーに係合するバルブオープナーとを設け、いずれかのバルブオープナーを選択して用いることを特徴とする充填装置。
【請求項２】
円周方向等間隔に設けられた充填バルブと、該充填バルブを作動させるシフターレバーと、該シフターレバーに係合して充填動作を開始するバルブオープナーとを備えた充填装置において、１バルブごとに連続ピッチ用シフターレバーと倍ピッチ用シフターレバーを設けるとともに、上記バルブオープナーを全てのシフターレバーに連続的に係合する位置と、一つ飛ばしの倍ピッチ用シフターレバーに係合する位置とに移動可能に設け、いずれかの位置を選択してバルブオープナーを位置させることを特徴とする充填装置。
【発明の詳細な説明】
【０００１】
【発明の属する技術分野】
本発明は、充填装置に関するもので、特に連続ピッチ、及び倍ピッチで容器を搬送して充填できるようにした充填バルブ部を有する充填装置に関するものである。
【０００２】
【従来の技術】
従来、ロータリ式の充填装置であって円周方向に所定のピッチで配置された充填バルブに対し、一つ飛ばし、すなわち倍ピッチ分の充填バルブを用い充填を行うことにより、径の大きな大型容器に対応するようにしたものとして、一定のピツチで配置され、かつ容器とともに搬送されてそれぞれ容器内に充填液を充填する複数の充填機構と、各充填機構の下方にそれぞれ配設され、載置された容器を各充填機構に向けて上昇させる複数の昇降テーブルとを備えた充填装置において、上記各昇降テーブルの搬送方向における幅を交互に異ならせた充填装置（特公平３−１４７２０号公報参照）が存在している。
【０００３】
【発明が解決しようとする課題】
しかしながら、前記従来技術の充填装置は、昇降テーブルの昇降で容器を持ち上げ、容器口部を充填バルブの下端に押し付けて充填バルブを押し上げることによりバルブの開閉を行うようにしたものを対象としているため、いわゆるガス詰めフィラ等のようにレバー操作によりバルブの開閉、若しくは充填動作の開始を行うものについては採用することができなかったという問題があった。
【０００４】
本発明は、この事情に鑑み、充填バルブを作動させるシフターレバーを備えた充填装置においても倍ピッチ充填を可能にすることにより兼用範囲を広げた充填装置を提供することを目的とするものである。
【０００５】
【課題を解決するための手段】
本発明は、前記課題を解決するために、次のような技術手段を採用した。請求項１記載の発明においては、円周方向等間隔に設けられた充填バルブと、該充填バルブを作動させるシフターレバーと、該シフターレバーに係合して充填動作を開始するバルブオープナーとを備えた充填装置において、１バルブごとに連続ピッチ用シフターレバーと倍ピッチ用シフターレバーを設けるとともに、全てのシフターレバーに連続的に係合するバルブオープナーと、一つ飛ばしの倍ピッチ用シフターレバーに係合するバルブオープナーとを設け、いずれかのバルブオープナーを選択して用いるという技術手段を採用した。
【０００６】
請求項２記載の発明においては、円周方向等間隔に設けられた充填バルブと、該充填バルブを作動させるシフターレバーと、該シフターレバーに係合して充填動作を開始するバルブオープナーとを備えた充填装置において、１バルブごとに連続ピッチ用シフターレバーと倍ピッチ用シフターレバーを設けるとともに、上記バルブオープナーを全てのシフターレバーに連続的に係合する位置と、一つ飛ばしの倍ピッチ用シフターレバーに係合する位置とに移動可能に設け、いずれかの位置を選択してバルブオープナーを位置させるという技術手段を採用した。
【０００７】
【実施例】
次に、本発明の一実施例を添付図面に基づいて詳細に説明する。
図１は本発明の要部を示す概略断面図で、充填タンク１の円周方向等間隔に設けられた充填バルブ２のうち、倍ピッチ用充填バルブ２Ａを１個取り出して示したもので、充填機の回りに固定されたリング体４に固設されたシリンダ５によって倍ピッチ用バルブオープナー６Ａを作動させて、倍ピッチ用シフターレバー７に係合させることにより充填バルブ２の開閉を行うものである。
【０００８】
図２は本実施例の倍ピッチ用バルブオープナー６Ａと倍ピッチ用シフターレバー７の関係性を示す正面図である。
【０００９】
図３に示したものは、充填タンク１に円周方向等間隔で設けられた充填バルブ２に対応させて設けた連続ピッチ用バルブオープナー６Ｂと連続ピッチ用シフターレバー９、及び倍ピッチ用バルブオープナー６Ａと倍ピッチ用シフターレバー７との関係を示す平面図である。
【００１０】
ここで、本発明について図１〜図３に基づいて詳細を説明する。
各充填バルブ２には、バルブの開閉を操作するシフターレバー７、９が充填タンク１の側部に回動自在に突出して設けられている。そして、充填タンク１の側方所定位置に固設されたバルブオープナー６Ａ、６Ｂの作動によりこれに係合して回動され、充填動作を開始するようになっている。
【００１１】
また、バルブオープナー６Ａ、６Ｂは、リング体４に固着された支持プレート３に回転自在に取り付けられた回転ロッド８に固定されているとともに、シリンダ５のロッドと連結され、シリンダ５の作動により回転ロッド８を支点に回動動作するようになっている。
【００１２】
さらに充填タンク１は、その内部に充填液が貯溜され、図示しない垂直軸線の回りを回転するようになっており、下面外周側には、円周方向等間隔で複数の充填バルブ２が設けられている。
【００１３】
図１、図３に示すように倍ピッチ用シフターレバー７は、連続ピッチ用シフターレバー９の側部にプレート部１０を一体的に形成したものであって、１バルブごとに連続ピッチ用シフターレバー９、倍ピッチ用シフターレバー７を連続ピッチ用充填バルブ２Ｂ、倍ピッチ用充填バルブ２Ａに組み付け、充填タンク１の側部に回動自在に設けている。
【００１４】
一方シフターレバー７、９に係合してこれを回転させるバルブオープナー６Ａ、６Ｂは、充填区間の始端である所定位置に充填タンク１の側方であって、シフターレバー７、９の上方に位置するように配置されており、その回動に伴う上下動により上方位置と下方位置のいずれかに位置するようになっている。つまり、上方位置ではシフターレバーに係合せず、下方位置にて係合するようになっているものである。本実施例においては、連続ピッチ用シフターレバー９と倍ピッチ用シフターレバー７のいすれにも係合する位置に配置された連続ピッチ用バルブオープナー６Ｂに加え、倍ピッチ用シフターレバー７のプレート部１０にのみ係合する位置に配置された倍ピッチ用バルブオープナー６Ａを充填タンク１の回転方向に前後に併設して設けている。
【００１５】
次に、上記構成よりなる充填装置の充填動作について説明する。
先ず、各充填バルブ２のピッチ間より小さい径の容器に対して充填を行う場合には、連続ピッチ用バルブオープナー６Ｂを選択して下降させ、連続ピッチ用シフターレバー９と倍ピッチ用シフターレバー７の両方、つまり全てのシフターレバーに連続的に係合可能として充填動作を開始させるようにする。
【００１６】
さらに、各充填バルブ２のピッチ間より大きい径の容器に対して充填を行う場合には、連続ピッチ用バルブオープナー６Ｂを上昇させ、倍ピッチ用バルブオープナー６Ａを選択して下降させる。これにより連続ピッチ用シフーレバー９は、バルブオープナーに係合できず、充填バルブ２のうち連続ピッチ用充填バルブ２Ｂについては充填動作が開始されず、倍ピッチ用シフターレバー７のプレート部１０が係合して一つ飛ばしの倍ピッチ用充填バルブ２Ａについてのみ充填動作が開始されるものである。この場合、倍ピッチ用充填バルブ２Ａの下方に位置を合わせて容器が供給されていることは言うまでもないことである。
【００１７】
図４は本発明に係る第２の実施例を示すものであって、上記第１実施例との相違点はバルブオープナー６の数を１個とし、連続ピッチ用シフターレバー９と倍ピッチ用シフターレバー７のいずれにも係合可能な位置（図中Ａの位置）と、倍ピッチ用シフターレバー７のプレート部１０にのみ係合可能な位置（図中仮想線で示すＢの位置）に移動可能に構成したものである。全ての充填バルブ２の充填動作を開始させる場合にはＡの位置を選択して位置させ、一つ飛ばしの充填バルブ２のみ充填動作を開始させる場合にはＢの位置を選択して位置させるようにする。
【００１８】
なお、移動可能とするための構成としては、（１）支持プレート３に取り付けた回転ロッド８を伸縮自在に構成する。（２）長さの異なる回転ロッド８を選択して取り付けるようにする。（３）バルブオープナー６を回転ロッド８に対してスライド自在に構成する等いずれの手段を採用することもできる。要は、バルブオープナー６の位置を選択して位置させるように設定することができればよいものである。
【００１９】
【発明の効果】
本発明は、以上の構成に基づいて次の効果を得ることができる。
（１）倍ピッチ搬送可能により扱い品種の胴径の兼用範囲が広がる。
【図面の簡単な説明】
【図１】  本発明における第１実施例の要部を示す概略断面図である。
【図２】  本発明における第１実施例の倍ピッチ用バルブオープナーと倍ピッチ用シフターレバーの関係を示す正面図である。
【図３】  本発明における第１実施例の連続ピッチ用バルブオープナーと連続ピッチ用シフターレバー、及び倍ピッチ用バルブオープナーと倍ピッチ用シフターレバーとの関係性を示す平面図である。
【図４】  本発明における第２実施例のバルブオープナーとシフターレバーとの関係性を示す平面図である。
【符号の説明】
１・・・・充填タンク                    ２・・・・充填バルブ
２Ａ・・・・倍ピッチ用充填バルブ        ２Ｂ・・・・連続ピッチ用充填バルブ
３・・・・支持プレート                  ４・・・・リング体
５・・・・シリンダ                      ６・・・・バルブオープナー
６Ａ・・・・倍ピッチ用バルブオープナー  ６Ｂ・・・・連続ピッチ用バルブオープナー
７・・・・倍ピッチ用シフターレバー      ８・・・・回転ロッド
９・・・・連続ピッチ用シフターレバー  １０・・・・プレート部
【図１】
0003942706.tif 000002
【図２】
0003942706.tif 000003
【図３】
0003942706.tif 000004
【図４】
0003942706.tif 000005